(57)【要約】【課題】  袋綴じ部分を有する本の製造に際して、袋綴じ部分を作成する工程の他に、袋綴じ部分を折丁に貼り付ける工程を経てから中綴じなければならないので、貼付工程の労力および費用がかかるという課題を解決すること。【解決手段】  中央部両側の袋綴じ部分に幅狭い頁ｆを印刷し、両外側の袋綴じしない部分に幅広い頁ｎを印刷した全紙を複数回折畳んで、最後の折曲線３の両側に袋綴じ部分の幅狭い頁ｆと袋綴じしない部分の幅広い頁ｎとが配置された折丁を、最後の折曲線３を中綴じ線として中綴じした本である。【選択図】    図１
2006334958.tif 000002
【特許請求の範囲】
【請求項１】
中央部両側の袋綴じ部分に幅狭い頁を印刷し、両外側の袋綴じしない部分に幅広い頁を印刷した全紙を複数回折畳んで、最後の折曲線の両側に袋綴じ部分の幅狭い頁と袋綴じしない部分の幅広い頁とが配置された折丁を、上記最後の折曲線を中綴じ線として中綴じしたことを特徴とする袋綴じ部分を有する本。
【請求項２】
請求項１に記載の袋綴じ部分を有する折丁を、袋綴じしない幅広い頁を印刷した全紙を複数回折畳んだ折丁を挟み込む丁合をして中綴じしたことを特徴とする袋綴じ部分を有する本。
【請求項３】
請求項１に記載の袋綴じ部分を有する折丁を、袋綴じしない幅広い頁を印刷した全紙を複数回折畳んだ折丁に挟み込む丁合をして中綴じしたことを特徴とする袋綴じ部分を有する本。
【請求項４】
全紙の中央部両側の袋綴じ部分に幅狭い頁を印刷し、全紙の両外側の袋綴じしない部分に幅広い頁を印刷する工程と、
印刷した上記全紙を複数回折畳んで、最後の折曲線の両側に袋綴じ部分の幅狭い頁と袋綴じしない部分の幅広い頁とが配置された折丁を形成する折加工工程と、
上記折丁の最後の折曲線を中綴じ線として中綴じする中綴じ工程と、
中綴じされた製本本の袋綴じしない部分の小口側を裁断する工程と、
よりなる袋綴じ部分を有する本の製造方法。
【発明の詳細な説明】
【技術分野】
【０００１】
この発明は、書籍や雑誌などの小口を有する本において、任意の頁に袋綴じ部分を形成して、小口部分を開放することによる店頭での立読みを防止するとともに、著作内容の一部分を隠蔽して保護するように構成した本およびその本の製造方法に関する。
【背景技術】
【０００２】
店頭における立読みを防止するために、書籍や雑誌などの本の任意の頁に袋綴じ部分を形成して著作内容の一部分を隠蔽することが、下記特許文献に開示されているように従来より実施されている。
【特許文献１】特開２００２−１８７３７９号公報
【特許文献２】実用新案登録第３１０６８５７号公報
【発明の開示】
【発明が解決しようとする課題】
【０００３】
中綴じによって製本した本においては、任意頁の間に袋綴じ部分を形成する際に、袋綴じしない本文の折丁に、予め作成した袋綴じ部分を糊付けによって貼り付けてから、中綴じを行って、小口側を裁断している。
【０００４】
このように、製本に際して、袋綴じ部分を作成する工程の他に、袋綴じ部分を折丁に貼り付ける工程を経なければならないので、貼付工程の労力および費用がかかるという問題があった。
【課題を解決するための手段】
【０００５】
この発明の袋綴じ部分を有する本は、中央部両側の袋綴じ部分に幅狭い頁を印刷し、両外側の袋綴じしない部分に幅広い頁を印刷した全紙を複数回折畳んで、最後の折曲線の両側に袋綴じ部分の幅狭い頁と袋綴じしない部分の幅広い頁とが配置された折丁を、上記最後の折曲線を中綴じ線として中綴じした本である。
【０００６】
この発明の袋綴じ部分を有する本の製造方法は、全紙の中央部両側の袋綴じ部分に幅狭い頁を印刷し、全紙の両外側の袋綴じしない部分に幅広い頁を印刷する工程と、印刷した上記全紙を複数回折畳んで、最後の折曲線の両側に袋綴じ部分の幅狭い頁と袋綴じしない部分の幅広い頁とが配置された折丁を得る折加工工程と、上記折丁の最後の折曲線を中綴じ線として中綴じする中綴じ工程と、中綴じされた製本本の袋綴じしない部分の小口側を裁断する工程とを経る方法である。
【発明の効果】
【０００７】
従来の袋綴じ部分を有しない普通の本の製造方法は、全紙に印刷する工程、折丁を得る折加工工程、中綴じ工程、小口側を裁断する工程よりなる一連の工程を経ている。この発明の袋綴じ部分を有する本およびその製造方法によると、このような従来の製造工程の一部を変更すること、すなわち、印刷工程において、全紙の中央部両側の袋綴じ部分に幅狭い頁を印刷して全紙の両外側の袋綴じしない部分に幅広い頁を印刷すること、および折加工工程において、最後の折曲線の両側に袋綴じ部分の幅狭い頁と袋綴じしない部分の幅広い頁とを配置した折丁を形成して、最後の折曲線を中綴じ線として中綴じすることにより、袋綴じ部分の糊付け工程を経ることなく、任意の頁に袋綴じ部分を挿入した本を製造することができる。
【０００８】
この発明は、このような人手を要する袋綴じ部分の糊付工程を必要としないので、労力および費用を著しく軽減することができる。
【発明を実施するための最良の形態】
【０００９】
この発明の袋綴じ部分を形成した本の製造方法を図面に基づいて説明する。
【００１０】
（第１の実施形態）
８頁の袋綴じ部分を形成する工程を例にあげて図１および図２に基づいて説明する。なお、図１（ａ）および（ｂ）において、点線は折加工における折曲線であり、細線の枠は、各印刷頁の印刷範囲を示す枠である。図中に示す数字は表側の頁を表し、左右反転させた括弧内の数字は裏側の頁を表し、各数字の上下の表記方向は各印刷頁の上下の方向に対応している。
【００１１】
袋綴じしない普通の頁は、図１（ａ）に示すように、全紙を八等分割して表裏に、四角形の枠ｎで囲む同じ面積の印刷範囲に１６頁分を印刷している。これに対し、袋綴じする部分を有する全紙には、図１（ｂ）に示すように、同じ大きさの全紙の表裏に四角形の枠で囲む範囲ｆ、ｎに１６頁分を印刷する。特に、図１（ａ）と図１（ｂ）とを対比すれば明らかなように、袋綴じする中央の第１〜８頁分の印刷範囲ｆは、袋綴じしない外側の第９〜１６頁分の印刷範囲ｎよりも幅を狭く印刷している。
【００１２】
そして、図１（ｂ）に示す折曲線１を内側にして図１（ｃ）に示すように、上下に折り畳んだのち、図１（ｃ）に示す折曲線２を内側にして図１（ｄ）に示すように左右に折り畳み、さらに、図１（ｄ）に示す折曲線３を内側にして左右に折り畳んで、図１（ｅ）および図２（ａ）の断面図に示す折丁を作る。図１（ｄ）に示す折曲線３および図２（ａ）に示す線Ｔは、中綴じ工程において針留めされる中綴じ線に当たる。
【００１３】
なお、図２に示すように、袋綴じ部分Ｆの幅を狭めた分だけ、袋綴じしない部分Ｎの紙幅が広くなるので、小口側を裁断するときに幅広く切り落とされる。
【００１４】
このように折加工して、図１（ｅ）および図２（ａ）に示すように、８頁の袋綴じ部分Ｆと８頁の袋綴じでない普通の部分Ｎとを、最後の折曲線３の両側に配置した折丁を作る。この袋綴じ部分Ｆを袋綴じしない普通の頁の間に綴じ込む場合には、図２（ｂ）に示すように１６頁分を印刷して八つ折りに折加工した普通の折丁を作り、図２（ｃ）に示すように、中央に８頁の袋綴じ部分Ｆと８頁の袋綴じしない普通の部分Ｎよりなる折丁を挟み込む丁合をして丁合本を形成する。
【００１５】
次に、この丁合本を線Ｔにおいて針留めして中綴じする。中綴じされた製本本の小口側を線Ｃに沿って裁断すると、図２（ｄ）の断面図に示すように、前からの袋綴じしない８頁分と、袋綴じした８頁分Ｆと、袋綴じしない１６頁分とよりなる３２頁の本を作ることができる。なお、小口側を裁断するとき、袋綴じ部分Ｆは、その幅が狭いので、裁断されることなく残存する。
【００１６】
（第２の実施形態）
この袋綴じ部分Ｆを前に出して袋綴じしない普通の頁を後に綴じ込む場合には、図３（ｂ）に示すように表裏１６頁分を印刷して八つ折りに折加工した普通の折丁を作り、図３（ｃ）に示すように、８頁の袋綴じ部分Ｆと８頁の袋綴じしない普通の部分Ｎよりなる折丁の中央に１６頁分の折加工した普通の折丁を挟み込む丁合をしてから中綴じする。
【００１７】
そして、中綴じされた製本本の小口側を線Ｃに沿って裁断すると、図３（ｄ）の断面図に示すように、前から袋綴じした８頁分Ｆと、袋綴じしない２４頁分とよりなる３２頁の本を作ることができる。なお、小口側を裁断するとき、袋綴じ部分Ｆは、その幅が狭いので、裁断されることなく残存する。
【００１８】
（第３の実施形態）
第１の実施形態と同様に、袋綴じする部分については、図４（ａ）に示すように、全紙の表裏に四角形の枠で囲む範囲ｆ、ｎに１６頁分を印刷する。特に、袋綴じする中央の第１〜８頁分の印刷範囲ｆは、袋綴じしない外側の第９〜１６頁分の印刷範囲ｎよりも幅を狭く印刷する。
【００１９】
そして、図４（ａ）に示す折曲線１を内側にして図４（ｂ）に示すように、左右に折り畳んだのち、図４（ｂ）に示す折曲線２を内側にして図４（ｃ）に示すように上下に折り畳み、さらに、図４（ｃ）に示す折曲線３を内側にして左右に折り畳んで、図４（ｄ）および図５（ａ）の断面図に示す折丁を作る。図４（ｃ）に示す折曲線３および図５に示す線Ｔは、中綴じ工程において針留めされる中綴じ線に当たる。
【００２０】
この袋綴じ部分Ｆを袋綴じしない普通の頁の間に綴じ込む場合には、図５（ｂ）に示すように１６頁分を印刷して八つ折りに折加工した普通の折丁を作り、図５（ｃ）に示すように、中央に８頁の袋綴じ部分Ｆと８頁の袋綴じしない普通の部分Ｎよりなる折丁を挟み込む丁合をして丁合本を形成する。
【００２１】
次に、この丁合本を最後の折曲線Ｔに沿って針留めすることにより中綴じする。中綴じされた製本本の小口側を線Ｃに沿って裁断すると、図５（ｄ）の断面図に示すように、前からの袋綴じしない８頁分と、袋綴じした８頁分Ｆと、袋綴じしない１６頁分とよりなる３２頁の本を作ることができる。なお、小口側を裁断するとき、袋綴じ部分Ｆは、その幅が狭いので、裁断されることなく残存する。
【００２２】
（第４の実施形態）
第３の実施形態と同様に、袋綴じする部分については、図４（ａ）に示すように、全紙の表裏に四角形の枠で囲む範囲ｆ、ｎに１６頁分を印刷する。特に、袋綴じする中央の第１〜８頁分の印刷範囲ｆは、袋綴じしない外側の第９〜１６頁分の印刷範囲ｎよりも幅を狭く印刷する。
【００２３】
そして、このように袋綴じ部分を有する全紙を２枚重ね合わせて、図４（ａ）に示す折曲線１を内側にして図４（ｂ）に示すように、左右に折り畳んだのち、図４（ｂ）に示す折曲線２を内側にして図４（ｃ）に示すように上下に折り畳み、さらに、図４（ｃ）に示す折曲線３を内側にして左右に折り畳んで、図４（ｄ）および図６（ａ）の断面図に示す折丁を作る。図４（ｃ）に示す折曲線３および図６に示す線Ｔは、中綴じ工程において針留めされる中綴じ線に当たる。
【００２４】
この袋綴じ部分Ｆを袋綴じしない普通の頁の間に綴じ込む場合には、図６（ｂ）に示すように、例えば１６頁分を印刷して八つ折りに折加工した普通の折丁を作り、図６（ｃ）に示すように、中央に１６頁の袋綴じ部分Ｆと１６頁の袋綴じでない普通の部分Ｎよりなる折丁を挟み込む丁合をして丁合本を形成する。
【００２５】
次に、この丁合本を線Ｔにおいて針留めして中綴じする。中綴じされた製本本の小口側を線Ｃに沿って裁断すると、図６（ｄ）の断面図に示すように、前からの袋綴じしない８頁分と、袋綴じした１６頁分Ｆと、袋綴じしない２４頁分とよりなる４８頁の本を作ることができる。なお、小口側を裁断するとき、袋綴じ部分Ｆは、その幅が狭いので、裁断されることなく残存する。
【００２６】
なお、以上の各実施形態で説明した袋綴じ部分の頁数と袋綴じしない部分の頁数および配置は、単なる例示であって、種々の頁数および配置に適用することができる。
【図面の簡単な説明】
【００２７】
【図１】第１実施形態および第２実施形態における印刷した全紙を折加工して折丁を作る過程を示す平面図、
【図２】第１実施形態の工程を示す断面図、
【図３】第２実施形態の工程を示す断面図、
【図４】第３実施形態および第４実施形態における印刷した全紙を折加工して折丁を作る過程を示す平面図、
【図５】第３実施形態の工程を示す断面図、
【図６】第４実施形態の工程を示す断面図である。
【符号の説明】
【００２８】
Ｃ  小口側の裁断部
Ｆ  袋綴じ部分
Ｎ  袋綴じしない部分
Ｔ  中綴じ線
ｆ  袋綴じ部分の印刷範囲
ｎ  袋綴じしない部分の印刷範囲
【図１】
2006334958.tif 000003
【図２】
2006334958.tif 000004
【図３】
2006334958.tif 000005
【図４】
2006334958.tif 000006
【図５】
2006334958.tif 000007
【図６】
2006334958.tif 000008